(57)【要約】【課題】外壁縦目地をしっかりとした止水状態にでき、しかも、止水材を耐候性に優れたものにできてその交換サイクルを長くでき、加えて、止水材のリサイクルが可能で環境に優しい外壁縦目地の止水構造等を提供する。【解決手段】目地内空間部を挟む一方の対向面部７ａの側に取り付けられ、もう一方の対向面部７ｂの側に向けて延ばされた止水用第１金属板部８ａと、前記もう一方の対向面部の側に取り付けられ、前記一方の対向面部の側に向けて延ばされた止水用第２金属板部９ａとが、第１金属板部８ａを屋外側、第２金属板部９ａを屋内側とするように重なり状に配置され、屋外側の第１金属板部８ａが屋外に露出して備えられている。第１金属板部８ａは、風圧により、第２金属板部９ａとの隙間を小さくするなどして止水性能が高められるようになっている。【選択図】      図１
2009228365.tif 000002
【特許請求の範囲】
【請求項１】
外壁縦目地の目地内空間部を挟む対向面部のうちの一方の対向面部の側に取り付けられ、もう一方の対向面部の側に向けて延ばされた止水用第１金属板部と、前記もう一方の対向面部の側に取り付けられ、前記一方の対向面部の側に向けて延ばされた止水用第２金属板部とが、第１金属板部を屋外側、第２金属板部を屋内側とするように重なり状に配置され、かつ、屋外側の第１金属板部が屋外に露出して備えられていることを特徴とする外壁縦目地の止水構造。
【請求項２】
前記屋外側の止水用第１金属板部が、屋外側からの風圧を受けることによって、屋内側の止水用第２金属板部との隙間を小さくし、又は、屋内側の止水用第２金属板部との隙間をなくし、又は、屋内側の止水用第２金属板部に押し付けられた状態となって、止水性能が高められるようになされている請求項１に記載の外壁縦目地の止水構造。
【請求項３】
前記屋外側の止水用第１金属板部が、一方の対向面部の側から、目地の幅方向の中央位置を越えてもう一方の対向面部の側に延ばされている請求項２に記載の外壁縦目地の止水構造。
【請求項４】
前記屋外側の止水用第１金属板部が、屋外側に面して凹となるようにくぼまされている請求項３に記載の外壁縦目地の止水構造。
【請求項５】
請求項１乃至４のいずれか一に記載の外壁縦目地の止水構造の施工方法であって、
止水用第１金属板部を含む第１金属板部材が取り付けられた、外壁縦目地を挟む一方の側の外壁パネルと、止水用第２金属板部を含む第２金属板部材が取り付けられたもう一方の側の外壁パネルとを用意し、
各外壁パネルに取り付けられた止水用第１金属板部と止水用第２金属板部とが、第１金属板部を屋外側、第２金属板部を屋外側とする重なり状の配置状態となるように、外壁パネルの建方を行うことを特徴とする施工方法。
【発明の詳細な説明】
【技術分野】
【０００１】
本発明は、外壁縦目地の止水構造及び施工方法に関する。
【背景技術】
【０００２】
外壁縦目地の止水方法として、シリコンやゴム等の高分子系からなるガスケットを外壁パネル間の縦目地に嵌め込んで乾式で縦目地を止水することは、従来より行われているし、また、シリコン製等のシーリングによって湿式で縦目地を止水することも、従来より行われている。
【特許文献１】特開平８−１３６３４号公報
【発明の開示】
【発明が解決しようとする課題】
【０００３】
しかしながら、シリコンやゴム等の高分子系のガスケットやシーリングは、屋外に晒されることによって経年的に劣化していき、そのため、１０〜１５年で全面的に交換する必要があり、コストが高くついてしまうという問題がある。また、それらのガスケットやシーリングは、リサイクルが困難で、産業廃棄物になり、地球環境に優しいとはいえないという問題もある。
【０００４】
また、止水の施工は、外壁パネルの建方後に、足場を設けて行う必要があり、手間を要すると共にコストも高くついてしまうという問題もある。
【０００５】
本発明は、上記のような問題点に鑑み、外壁縦目地をしっかりとした止水状態にすることができ、しかも、止水材を耐候性に優れたものにすることができてその交換サイクルを長くすることができ、加えて、止水材のリサイクルが可能で環境に優しく、施工も容易に行うことができる、外壁縦目地の止水構造及び施工方法を提供することを課題とする。
【課題を解決するための手段】
【０００６】
上記の課題は、外壁縦目地の目地内空間部を挟む対向面部のうちの一方の対向面部の側に取り付けられ、もう一方の対向面部の側に向けて延ばされた止水用第１金属板部と、前記もう一方の対向面部の側に取り付けられ、前記一方の対向面部の側に向けて延ばされた止水用第２金属板部とが、第１金属板部を屋外側、第２金属板部を屋内側とするように重なり状に配置され、かつ、屋外側の第１金属板部が屋外に露出して備えられていることを特徴とする外壁縦目地の止水構造によって解決される（第１発明）。
【０００７】
この構造では、止水用の第１金属板部と第２金属板部とがそれぞれ、外壁縦目地を挟む各側に取り付けられ、第１金属板部を屋外側、第２金属板部を屋外側とするように重なり状に配置されているので、縦目地内方への雨水等の水の侵入を両金属板部が協力して阻止し、外壁縦目地をしっかりとした止水状態にすることができる。
【０００８】
しかも、屋外に露出して暴露される止水材は、金属からなる第１金属板部であるから、劣化しにくく、耐候性に優れ、止水材の交換サイクルを長くすることができると共に、
止水材が金属で構成されていることにより、そのリサイクルが可能で、環境に優しい。
【０００９】
第１発明において、前記屋外側の止水用第１金属板部が、屋外側からの風圧を受けることによって、屋内側の止水用第２金属板部との隙間を小さくし、又は、屋内側の止水用第２金属板部との隙間をなくし、又は、屋内側の止水用第２金属板部に押し付けられた状態となって、止水性能が高められるようになされているとよい（第２発明）。
【００１０】
この場合は、雨水等を目地内に侵入しやすくする風圧を、侵入しにくくする力として利用するものであり、風圧によって止水性能が高められるようになされているので、雨水等が風圧によって目地内に侵入するのを効果的に防ぐことができる。
【００１１】
第２発明において、前記屋外側の止水用第１金属板部が、一方の対向面部の側から、目地の幅方向の中央位置を越えてもう一方の対向面部の側に延ばされているとよい（第３発明）。
【００１２】
この場合は、止水用第１金属板部の方が第２金属板部よりも風圧を受ける面積が大きく、又は、第２金属板部は風圧を受けず、そのため、止水用第１金属板部の方が、第２金属板部よりも大きく目地内奥方へと撓むことができて、第１金属板部に、第２金属板部との隙間を小さくし、又は、屋内側の止水用第２金属板との隙間をなくし、又は、屋内側の止水用第２金属板に押し付けられる動作を、効果的に行わせることができる。
【００１３】
第３発明において、前記屋外側の止水用第１金属板部が、屋外側に面して凹となるようにくぼまされているとよい（第４発明）。この場合は、第１金属板部が風圧を受けて目地内奥方へと撓みやすくなり、雨水等が風圧によって目地内に侵入するのをより一層効果的に防ぐことができる。該くぼみが左右対称のものからなっている場合は、目地を意匠性に優れたものにすることができる。
【００１４】
また、上記の課題は、第１〜第４発明のいずれか一の外壁縦目地の止水構造の施工方法であって、
止水用第１金属板部を含む第１金属板部材が取り付けられた、外壁縦目地を挟む一方の側の外壁パネルと、止水用第２金属板部を含む第２金属板部材が取り付けられたもう一方の側の外壁パネルとを用意し、
各外壁パネルに取り付けられた止水用第１金属板部と止水用第２金属板部とが、第１金属板部を屋外側、第２金属板部を屋外側とする重なり状の配置状態となるように、外壁パネルの建方を行うことを特徴とする施工方法によって解決される（第５発明）。
【００１５】
この施工方法によれば、第１及び第２の金属板部が、建方前の外壁パネルに予め備えられていて、外壁パネルの建方を行うことにより、外壁パネル間の縦目地が第１，第２の金属板部によって止水状態となるので、外壁パネルの建方後に、縦目地止水のための足場を設ける必要がなくなり、手間とコストを排除して、施工を容易にすることができる。
【００１６】
また、上記の施工方法によれば、止水用の第１及び第２の金属板部材を、工場などで外壁パネルに予め設けておくことができて、外壁パネルへの取付けが容易であると共に、現場では、外壁パネルの建方を行えば、それらの間の縦目地は、止水用の第１及び第２の金属板部によって止水状態となるので、外壁パネルの建方後に、縦目地止水のための足場を設ける必要がなくなり、手間とコストを排除して、施工を容易にすることができる。
【発明の効果】
【００１７】
本発明は、以上のとおりのものであるから、外壁縦目地をしっかりとした止水状態にすることができ、しかも、止水材を耐候性に優れたものにすることができてその交換サイクルを長くすることができ、加えて、止水材のリサイクルが可能で環境に優しい。施工も容易に行うことができる。
【発明を実施するための最良の形態】
【００１８】
次に、本発明の実施最良形態を図面に基づいて説明する。
【００１９】
図１及び図２に示す第１実施形態の止水構造において、図１（ロ）に示すように、１は鋼製の柱、２，２は左右の外壁パネルであり、各外壁パネル２は、窯業系の外壁面材３の背面側にスチレンボート４と断熱用のグラスウールボード５とを介して鋼製のパネルフレーム６が備えられたものからなっていて、左右の外壁パネル２，２は、それらのパネルフレーム６，６で柱１を両側から挟むように配置されて、外壁面材３，３間に縦目地７が形成されている。
【００２０】
この縦目地７に、図１（イ）に示すように、止水用の第１金属板部材８と第２金属板部材９とが設けられている。各金属板部材８，９は、例えば、ステンレス等の耐食性のある金属材で構成されており、本実施形態では、塗装ステンレス鋼板からなってる。
【００２１】
各金属板部材８，９は、互いに共通する部分として、図２（イ）〜（ハ）に示すように、外壁面材３とスチレンボード４との間に配置される第１板部１０と、第１板部１０に連接され、目地内空間部を挟む対向面部である外壁面材３の側面部に沿わされる第２板部１１とを備えており、
第１金属板部材８は、一方の外壁パネル２の側において、その第１板部１０を外壁面材３とスチレンボード４との間に配置すると共に、第２板部１１をその外壁パネル２の外壁面材３の側面部に沿わせた状態にし、第２板部１１をブチルテープ等の両面粘着の止水テープ１２で外壁面材３の側面部に止水状態に取り付けて、一方の外壁パネル２に設けられ、
第２金属板部材９は、もう一方の外壁パネル２の側において、同様に、その第１板部１０を外壁面材３とスチレンボード４との間に配置すると共に、第２板部１１をその外壁パネル２の外壁面材３の側面部に沿わせた状態にし、第２板部１１をブチルテープ等の両面粘着の止水テープ１２で外壁面材３の側面部に止水状態に取り付けて、もう一方の外壁パネル２に設けられている。
【００２２】
そして、第１金属板部材８において、その第２板部１１には、止水用第１金属板部８ａが連接され、該第１金属板部８ａは、縦目地内空間部を挟む一方の対向面部７ａの側からもう一方の側の対向面部７ｂの側に向けて延ばされていると共に、
第２金属板部材９において、その第２板部１１には、止水用の第２金属板部９ａが連接され、該第２金属板部９ａは、目地内空間部を挟む前記もう一方の対向面部７ｂの側から前記一方の側の対向面部７ａの側に向けて延ばされ、
図１（イ）に示すように、第１金属板部８ａを屋外側、第２金属板部９ａを屋内側とするように重なり状に配置されると共に、屋外側の第１金属板部８ａは屋外に露出して備えられている。
【００２３】
また、第１金属板部８ａは、前記一方の対向面部７ａの側から、縦目地７の幅方向の中央位置を越えて前記もう一方の対向面部７ｂの位置ないしはその近傍位置まで延ばされると共に、屋外側に面して凹となるように、幅方向の中間部１３を頂部とする横断面Ｖ字状にくぼまされており、
第２金属板部９ａは、前記もう一方の対向面部７ｂの側から、縦目地７の幅方向の中央位置を越えて前記一方の対向面部の位置ないしはその近傍位置まで延ばされると共に、先端縁部には水止め用の屈曲部１４が設けられ、かつ、前記もう一方の対向面部７ｂから前記一方の対向面部７ａに向けて屋外方向に傾斜し、第１金属板部８ａの幅方向の中間部である頂部１３が、傾斜方向の中間部位置において第２金属板部９ａに近接状態、又は、接触状態、又は、押し付け状態となるように備えられている。
【００２４】
更に、屋外側の止水用第１金属板部８ａは、図２（ニ）に示すように、屋外側からの風圧を受けることで、屋内側に撓むなどして、頂部１３が止水用第２金属板部９ａとの隙間を小さくし、又は、第２金属板部９ａとの隙間をなくし、又は、第２金属板部に押し付けられて、止水性能が高められるようになされている。
【００２５】
上記の止水構造を形成するための施工は、第１金属板部８ａを含む第１金属板部材８が取り付けられた一方の外壁パネル２と、第２金属板部９ａを含む第２金属板部材９が取り付けられたもう一方の外壁パネル２とを用意し、各外壁パネル２，２に取り付けられた止水用第１金属板部８ａと止水用第２金属板部９ａとが、第１金属板部８ａを屋外側、第２金属板部９ａを屋外側とする重なり状の配置状態となるように、外壁パネル２，２の建方を行うというようにして行われる。図１（ロ）において、１５は二次止水材である。
【００２６】
上記の止水構造では、止水用の第１金属板部８ａと第２金属板部９ａとがそれぞれ、外壁縦目地７を挟む各側に取り付けられ、第１金属板部８ａを屋外側、第２金属板部９ａを屋外側とするように重なり状に配置されているので、縦目地７の内方への雨水等の水の侵入を両金属板部８ａ，９ａが協力して阻止し、外壁縦目地７をしっかりとした止水状態にすることができる。
【００２７】
しかも、屋外に露出して暴露される止水材は、金属からなる第１金属板部８ａであるから、劣化しにくく、耐候性に優れ、止水材の交換サイクルを、従来の高分子系の止水材の１０〜１５年に比べて、３０〜４０年という非常に長いものにすることができる。従って、外壁面材３の交換周期が３０年程度のものであれば、外壁面材３の交換と併せて止水材８，９の交換を行うことができ、止水材単体の交換の必要もなくなる。また、止水材が金属で構成されていることにより、そのリサイクルが可能で、環境に優しく、外壁面材の交換と併せて止水材８，９の取外しを行うことができて取外しも容易に行うことができる。
【００２８】
また、本実施形態では、屋外側の第１金属板部８ａが、屋外側からの風圧を受けて屋内側に撓むようになされており、その撓みによって、屋内側の第２金属板部９ａとの隙間を小さくし、又は、屋内側の止水用第２金属板部との隙間をなくし、又は、屋内側の止水用第２金属板部に押し付けられた状態となって、止水性能が高められるようになされているので、雨水等を縦目地７内に侵入しやすくする風圧が、侵入しにくくする力として利用されて、雨水等が風圧によって縦目地内に侵入するのを効果的に防ぐことができる。
【００２９】
特に、本実施形態では、屋外側の第１金属板部８ａが、一方の対向面部７ａの側から、目地の幅方向の中央位置を越えてもう一方の対向面部７ｂの側に延ばされているので、第１金属板部８ａの方が第２金属板部９ａよりも風圧を受ける面積が大きく、あるいは、第２金属板部９ａは風圧を受けず、そのため、風圧を受けると、第１金属板部８ａの方が、第２金属板部９ａよりも大きく目地内奥方へと撓むことができて、風時の雨水の侵入を効果的に防ぐことができる。
【００３０】
とりわけ、本実施形態では、屋外側の第１金属板部８ａが、屋外側に面して凹となるようにＶ状にくぼまされているので、第１金属板部８ａが風圧で目地内奥方へと撓みやすく、雨水等が風圧によって縦目地７内に侵入するのをより一層効果的に防ぐことができる。
【００３１】
また、上記の施工方法によれば、止水用の第１及び第２の金属板部材８，９を、工場などで外壁パネル２，２に予め設けておくことができて、外壁パネル２，２への取付けが容易であると共に、現場では、外壁パネル２，２の建方を行えば、それらの間の縦目地７は、止水用の第１及び第２の金属板部８ａ，９ａによって止水状態となるので、外壁パネル２，２の建方後に、縦目地止水のための足場を設ける必要がなくなり、手間とコストを排除して、施工を容易にすることができる。
【００３２】
図３に示す第２実施形態の止水構造は、第１実施形態の止水構造において、止水用の第１、第２の両金属板部材８，９における第２板部１１，１１間に、エプトシーラーなどの発泡性止水材１６が圧縮状態にされて介設されたものであり、該発泡性止水材１６は、第１金属板部８ａと第２金属板部９ａとによる止水能力を、背後から補う働きをする。
【００３３】
該発泡性止水材１６の施工は、図３（ロ）（ハ）に示すように、一方の外壁パネル２の金属板部材９の第２板部１１に接着して取り付けておき、外壁パネル２，２の建方を行うことによって、該発泡性止水材１６を、前記第２板部１１と、もう一方の外壁パネル２の金属板部材８の第２板部１１との間で挟みこんで圧縮状態にするというようにして行うことができるが、発泡性止水材１６の施工は種々の方法で行われてよい。
【図面の簡単な説明】
【００３４】
【図１】第１実施形態の止水構造を示すもので、図（イ）は断面平面図、図（ロ）は周辺部分を含めて示す断面平面図である。
【図２】図（イ）は外壁パネルを分離状態にして示す断面平面図、図（ロ）は第１金属板部材の断面平面図、図（ハ）は第２金属板部材の断面平面図、図（ニ）は屋外側から風圧を受けた時の動作を示す断面平面図である。
【図３】第２実施形態の止水構造を示すもので、図（イ）は断面平面図、図（ロ）及び図（ハ）は施工方法を順次に示す断面側面図である。
【符号の説明】
【００３５】
２…外壁パネル
３…外壁面材
７…縦目地
７ａ…一方の対向面部
７ｂ…もう一方の対向面部
８…第１金属板部材
８ａ…止水用第１金属板部
９…第２金属板部材
９ａ…止水用第２金属板部
【図１】
2009228365.tif 000003
【図２】
2009228365.tif 000004
【図３】
2009228365.tif 000005